(57)【要約】【課題】遊技機の機種名を視認効果および装飾効果豊かに表示でき、安価な機種名表示器が望まれていた。【解決手段】第１導光板３１および第２導光板３２の積層構造を有し、第１導光板３１には機種名表記３３が施されている。第１導光板３１は、機種名表記３３を読み易く照らす。第２導光板３２は、機種名表記３３が浮き上がって表示されるように、遠近感のある背景を表示する。表示の光源にはＬＥＤ３９が用いられ、ＬＥＤ３９は、第１導光板３１および第２導光板３２に対して、対向する端面から光を照射する。【選択図】図４
2008279005.tif 000002
【特許請求の範囲】
【請求項１】
遊技島の端に設けられ、遊技島に含まれる複数台の遊技機の少なくとも機種名を表示するための機種名表示器であって、
正面が機種名表示エリアを構成する透明な平板で形成された第１導光板と、
前記第１導光板に施された機種名を表わす任意の数字、文字または記号を含む表記手段と、  前記第１導光板の背面に沿って設けられ、第１導光板の背面の広がり方向（面方向）に対して直交方向に所定の幅を有し、かつ、第１導光板の背面の広がり方向（面方向）に互いに平行に等間隔で延びる複数枚の羽根板を含む第２導光板と、
前記第１導光板および第２導光板に対して、その端面側から光を照射するための複数個のＬＥＤと、
を含むことを特徴とする機種名表示器。
【請求項２】
前記機種名表示器は、遊技機の台番号を表示するための台番号表示エリアを有し、
前記台番号表示エリアは、前記機種名表示エリアに隣接して設けられ、前記第１導光板の正面の一部で形成されていることを特徴とする、請求項１記載の機種名表示器。
【請求項３】
前記複数個のＬＥＤは、前記第２導光板に含まれる複数枚の羽根板の長さ方向に沿って等間隔に配置され、羽根板の長さ方向に対して直交方向から光を照射することを特徴とする、請求項１または２記載の機種名表示器。
【発明の詳細な説明】
【技術分野】
【０００１】
この発明は、遊技場において使用される機種名表示器に関し、特に、遊技島の端に設けられ、遊技島に含まれる複数台の遊技機の台番号や機種名を表示するための機種名表示器に関する。
【背景技術】
【０００２】
パチンコ遊技、パチスロ遊技等が行われる遊技場においては、通常、「島」という配設単位で、複数台のパチンコ機やパチスロ機が設置される。そして複数台の遊技機（パチンコ機またはパチスロ機等）を含む遊技島の一端側には「島飾り」と呼ばれる装飾設備が設けられ、遊技島の他端側には「妻板」と呼ばれる装飾板が取り付けられる。また、各パチンコ機、パチスロ機の上部には「幕板」と呼ばれる装飾板が取り付けられる。
【０００３】
昨今、これら島飾り、妻板、幕板に、ＬＥＤおよび導光板を利用した表示装置が組み込まれ、装飾効果を高めたものが多くなっている。（たとえば特許文献１、２）
【特許文献１】意願２００６−１２９１１号
【特許文献２】意願２００６−１５５５６号
【発明の開示】
【発明が解決しようとする課題】
【０００４】
遊技島の端部を装飾する島飾りや妻板には、ＬＥＤの点灯／点滅等による光装飾効果の演出が施されることが多くなっているが、遊技島に含まれる複数台の遊技機（パチンコ機やパチスロ機）が如何なる機種名であるかを表示する機種名表示器には、板状の表示プレートに機種名を記載した昔ながらの表示器が用いられていることが多く、遊技者の目をひく表示器に改良することが望まれていた。
【０００５】
機種名表示器を、たとえば液晶表示によって機種名が表示されるようにしたり、ドットマトリクス状のＬＥＤを選択的に点灯させることにより機種名が表示されるようにすることが考えられるが、設備費が高価になるという課題がある。
この発明は、このような背景のもとになされたもので、遊技機の機種名を視認効果および装飾効果豊かに表示することができ、かつ、安価に構成することのできる機種名表示器を提供することを主たる目的とする。
【０００６】
この発明は、また、機種名等の表記情報が、遊技者にわかり易く奥行をもって表示できる表示器を提供することを他の目的とする。
さらにこの発明は、導光板を利用した従来の表示装置では行えなかった新規な表示態様を実現できる機種名表示器を提供することを他の目的とする。
【課題を解決するための手段】
【０００７】
請求項１記載の発明は、遊技島の端に設けられ、遊技島に含まれる複数台の遊技機の少なくとも機種名を表示するための機種名表示器であって、正面が機種名表示エリアを構成する透明な平板で形成された第１導光板と、前記第１導光板に施された機種名を表わす任意の数字、文字または記号を含む表記手段と、前記第１導光板の背面に沿って設けられ、第１導光板の背面の広がり方向（面方向）に対して直交方向に所定の幅を有し、かつ、第１導光板の背面の広がり方向（面方向）に互いに平行に等間隔で延びる複数枚の羽根板を含む第２導光板と、前記第１導光板および第２導光板に対して、その端面側から光を照射するための複数個のＬＥＤと、を含むことを特徴とする機種名表示器である。
【０００８】
請求項２記載の発明は、前記機種名表示器は、遊技機の台番号を表示するための台番号表示エリアを有し、前記台番号表示エリアは、前記機種名表示エリアに隣接して設けられ、前記第１導光板の正面の一部で形成されていることを特徴とする、請求項１記載の機種名表示器である。
請求項３記載の発明は、前記複数個のＬＥＤは、前記第２導光板に含まれる複数枚の羽根板の長さ方向に沿って等間隔に配置され、羽根板の長さ方向に対して直交方向から光を照射することを特徴とする、請求項１または２記載の機種名表示器である。
【発明の効果】
【０００９】
この発明の請求項１記載の表示器は、複数個のＬＥＤによって第１導光板および第２導光板は、それぞれ、端面側から光の照射を受ける。
第１導光板は、透明な平板、たとえば透明なアクリル板を用いることができる。このアクリル板には、機種名を表わす任意の表記手段が施されている。表記手段は、数字や文字のカッティングテープであって、導光板面に貼られたものを例示できる。また、導光板面に凹溝（たとえば断面三角形状の溝）によって数字や文字を刻印したものを例示できる。アクリル板が、その端面から光照射を受けると、第１導光板内を光が導かれ、導かれた光はカッティングテープを照らして数字や文字を浮き上がらせる。また、凹溝で反射され、光によって数字や文字が形成される。よって、導光板を正面から見ると、カッティングテープや光る凹溝によって機種名が表示される。
【００１０】
第２導光板は、端面からの光が多数枚の羽根板に順次照射される。すなわち、ＬＥＤに最も近い、第２導光板の端面沿いに設けられた第１枚目の羽根板に光が照射され、その羽根板を透過した光が第２枚目の羽根板に照射され、第２枚目の羽根板を透過した光が第３枚目の羽根板に照射され、…と光が伝搬する。よって、端面沿いの第１枚目の羽根板が最も強い光で照射され、端面から離れるほど羽根板に照射される光は弱まる。各羽根板は、第１導光板の裏面の広がり方向（面方向）に対して交差方向に幅を有しており、この幅内を光が通る。このため、第１導光板の正面側から見ると、各羽根板の長さ方向に光の帯（または、光源である各ＬＥＤの光の玉が連なった光の筋）が見える。そして、光の帯（または、光源である各ＬＥＤの光の玉が連なった光の筋）は、ＬＥＤに近い羽根板ほど輝度が高く、ＬＥＤから離れるほど輝度が低くなる。
【００１１】
それゆえ、第１導光板の正面側から見ると、光の帯（光の玉の連なった光の筋）は、平行に延び、端から中央側に向かって（ＬＥＤから離れる方向に向かって）弱い光（薄い光）の帯（光の玉の連なった光の筋）となるから、あたかも、見かけ上奥行感のある表示を構成する。換言すれば、複数の光の帯（光の玉の連なった光の筋）により、濃い光から薄い光へと奥行感のあるグラデーション表示が実現される。
【００１２】
そして、背景としての奥行感のあるグラデーション表示の前面側に、第１導光板に施された表記手段すなわちカッティングテープや凹溝による任意の文字等が浮き上がったように表示される。従って、この発明によれば、奥行感のある立体表示が可能な安価な機種名表示器を実現することができる。よって、遊技者は、斬新な表示、装飾効果および演出効果の高い表示により表示された機種名を確認し、所望の機種を的確に探して、遊技を楽しむことができる。
【００１３】
請求項２記載の発明によれば、機種名表示エリアには機種名が表示され、かつ、台番号表示エリアにはその遊技機の台番号が表示されるから、遊技島に含まれる遊技機の台番号および機種名が、わかり易く良好に表示される。
請求項３記載の発明によれば、羽根板に直交方向からＬＥＤの光が照射されるので、前述した光の帯（光の玉の連なった光の筋）がより明確にかつグラデーション表示による立体感をもって表示される。
【発明を実施するための最良の形態】
【００１４】
以下には、図面を参照して、この発明の実施形態について具体的に説明をする。
図１は、遊技島の一端部の斜視図であり、この発明の一実施形態に係る機種名表示器１０が備えられた状態が示されている。
図１を参照して、遊技場においては、通常、複数台の遊技機（パチンコ機やパチスロ機等）１が隣接して配列され、かつ、複数台の遊技機１は背中合わせに配列されて、遊技島２が構成されている。遊技島２の一端には、島飾り３が備えられている。島飾り３は、全体形状が、たとえば略直方体の箱形をしており、必要に応じて扉４が備えられ、扉４を開閉することにより、その内部の空間に物を収容できる。また、島飾り３には、たとえば直線状のＬＥＤ表示器５や導光板を用いた面状の表示器６が備えられていることもある。
【００１５】
この発明の一実施形態に係る機種名表示器１０は、図１に示すように、島飾り３の側面上方に取り付けられている。機種名表示器１０の取り付け位置は、島飾り３の側面上方に限らず、島飾り３の正面側に取り付けられてもよい。
なお、図１において７は遊技機１の上方に取り付けられた幕板である。
図２は、遊技島２の他端の構成例を表わす斜視図である。図２においても、１は遊技機、２は遊技島、７は幕板を表わしている。遊技島２の一端には、前述したように島飾り３が配置され、他端には図２に示すように、板状の妻板８が取り付けられることが多い。図２では、妻板８に、この発明の他の実施形態に係る機種名表示器２０が取り付けられた例が示されている。
【００１６】
図１および図２に示すように、機種名表示器１０、２０は、遊技島２の主として端部に設けられ、遊技島２に含まれる複数台の遊技機の台番号および機種名を表示するものである。
図３は、この発明の一実施形態に係る機種名表示器１０の正面図である。機種名表示器１０は、正面視が横長長方形状をしており、上枠１１、下枠１２、左枠１３および右枠１４ならびに左右方向に長手の区切り枠１５が、たとえば樹脂で一体成形された枠組を有している。そしてこの枠組によって台番号表示窓１６および機種名表示窓１７が形成されている。この実施形態では、右枠１４に、開閉可能な挿入用スリット１８が設けられており、挿入用スリット１８を介して台番号表示窓１６および機種名表示窓１７内に嵌まり込むように、第１導光板３１および第２導光板３２を抜き差し可能になっている。
【００１７】
第１導光板３１および第２導光板３２が差し込まれたときには、台番号表示窓１６および機種名表示窓１７には、第１導光板３１の正面が現れる。
図４は、図３のＡ−Ａに沿う縦断面図である。図３および図４を参照して、機種名表示器１０には、台番号表示窓１６および機種名表示窓１７に嵌められた第１導光板３１および第１導光板３１の背面側に積層された第２導光板３２が備えられている。
【００１８】
第１導光板３１は、透明なアクリル板であり、その厚みＴ１は、Ｔ１＝２〜６ｍｍ程度である。第１導光板３１は、アクリルに代えて、光透過性の良い他の樹脂材料やガラスで構成することもできる。第１導光板３１は、全体的に均質な光透過性材料で形成されていればよい。第１導光板３１の背面（裏面）３１ｂには、機種名および台番号表示のためのカッティングシール３３が貼り付けられている。カッティングシール３３は、第１導光板３１の背面３１ｂではなく、その正面３１ａに貼り付けられてもよい。
【００１９】
第１導光板３１の背面３１ｂ側には、第２導光板３２が積層されている。第２導光板３２は、その厚みＴ２が、Ｔ２＝２〜６ｍｍ程度であり、第１導光板３１の厚みＴ１と同程度の厚みとされている。
第２導光板３２は、第１導光板３１のように１枚の均質なアクリル板ではなく、図４の拡大図Ｂに示すように、中空構造を有している。第２導光板３２は、たとえば透明なポリカーボネートで形成されている。より具体的には、第２導光板３２は、正面側（第１導光板３１の背面３１ｂに対向する側）の透明な薄い表面板２１と、表面板２１と一定間隔Ｔ３を隔てて表面板２１に平行に設けられた透明な薄い裏面板２２と、表面板２１および裏面板２２間に設けられ、表面板２１および裏面板２２間を接続している水平に横方向に延びる桟状をした多数枚の薄い透明な羽根板２３とを有している。表面板２１、裏面板２２および羽根板２３で囲まれた領域は、いずれも空間である。
【００２０】
羽根板２３は、第２導光板３２の厚み方向（図４において左右方向）に所定の幅Ｔ３を有し、水平に左右方向（図４において紙面に垂直方向）に延びている。上下に隣接する各羽根板２３間の寸法は等しく、各羽根板２３は互いに平行に上下方向に配列されている。換言すれば、羽根板２３は、第１導光板３１の背面３１ｂの広がり方向（面方向）に対して直交方向に所定の幅Ｔ３を有し、かつ、第１導光板３１の背面３１ｂの広がり方向（面方向）に沿って左右方向に延びている。第２導光板３２における表面板２１、裏面板２２および複数枚の羽根板２３は、別体で構成されたものが接合されて一体化されたものでもよいし、三者が一体的に形成されたものであってもよい。
【００２１】
この実施形態では、第２導光板３２は、透明なポリカーボネートで構成されているが、ポリカーボネートに代えてアクリルで形成することもできるし、それ以外であってもよく、光透過性のある透明な樹脂材料で構成されていればよい。
図３および図４を参照して、上枠１１および下枠１２には、それぞれ、ガイド部３５、３６が設けられており、第１導光板３１および第２導光板３２は、挿入用スリット１８から差し込まれ、上辺および下辺がガイド部３５、３６に案内され、図３において左方向へスライドし、挿入される。上枠１１および下枠１２内には、また、上枠１１および下枠１２の長さ方向に延びるＬＥＤ基板３７が内蔵されている。各ＬＥＤ基板３７には、それぞれ、多数のＬＥＤ３９がＬＥＤ基板３７の長さ方向に等間隔で配設されている。これらＬＥＤ３９は、点灯／点滅表示可能なように、図示しない制御回路に接続されている。
【００２２】
図４を参照して、機種名表示器１０の背面内側４０には、第２導光板３２から後方へ漏れる光を吸収するための黒シート４１が貼着されている。黒シート４１は、メラミンまたは塩ビで形成されている。黒シート４１を設けると、第１導光板３１で表示される文字、線図がより鮮明に浮き上がるという利点がある。また、第２導光板３２で表示される奥行感も明確になるという利点もある。
【００２３】
上記構成において、各ＬＥＤ３９は、第１導光板３１の上端縁および下端縁に対向しており、第１導光板３１および第２導光板３２に対して、上端縁および下端縁から光を照射する。各ＬＥＤ３９が点灯されると、各ＬＥＤ３９から照射される光は、第１導光板３１の上下の端面から第１導光板３１内へ入射し、第１導光板３１内を上下方向に直進する。そして、その光はカッティングシール３３を照らし、カッティングシール３３で描かれた文字や数字を光らせる。
【００２４】
各ＬＥＤ３９から照射される光は、また、第２導光板３２を上下の端面から照射するが、第２導光板３２においては、光は次のように進行する。
すなわち、各ＬＥＤ３９から照射される光は、最も近い羽根板２３を照らし、その羽根板２３を透過した光はその奥に隣接する羽根板２３を照らす。さらに、その羽根板２３を透過した光は次に隣接している羽根板２３を照らす。このようにして、上下に配列された羽根板は、上側からは、上方の各ＬＥＤ３９により順次上から下に向かって照らされ、下側からは、下方の各ＬＥＤ３９によって下から上に向かって順次照らされる。このため、ＬＥＤ３９に近い羽根板２３は明るく照らされ、ＬＥＤ３９から離れるに従って徐々にその照らされる明るさが減少する。また、各羽根板２３は、ＬＥＤ３９から照射される光を屈折させる。
【００２５】
このため、第１導光板３１の正面３１ａ側から見ると、上下に配列された複数枚の羽根板２３は、上方および下方の羽根板ほど明るく輝き、上下方向中央に向かうほど徐々にその明るさが低下するように光る。換言すれば、羽根板２３により、横方向に延びる光の帯（または各ＬＥＤ３９の光の玉が連なった光の筋）が現れ、その光の帯（光の玉の連なった光の筋）は、上端および下端が最も明るく、中央に向かうほど徐々に照度が落ちていく。このため、正面３１ａ側から見ると、あたかも、中央部が遠くに見え、上端および下端が前方に位置するように、奥行のある背景表示が実現する。つまり、水平方向に延びる光の帯（または光の玉の連なった光の筋）によって、上下方向中央が奥まった立体感のあるグラデーション表示の背景を生じさせることができる。
【００２６】
図５に、この実施形態により表示された表示内容の写真を示す。図５の写真から明らかなように、第２導光板３２により奥行のある表示が実現され、第１導光板３１のカッティングシールにより表示された表示内容が前方に浮き上がって見えることがわかる。図５における表示内容のうち、上方の台番号表示窓に現れている表示「００１」〜「０２０」は、遊技台の番号を表わしており、下方の機種名表示枠に表示された「サンプル」の文字は、実際には機種名が表示される。つまり、この機種名表示器は、遊技島２に含まれる第○番台から第○番台までの遊技機は、○○○という機種の遊技機であることを、遊技島の端部において遊技者等に報知する働きをする。
【００２７】
図６は、第１導光板３１に施される数字、文字、記号等の他の表記手段の例を示す部分拡大断面図である。図６に示す構成では、第１導光板３１の背面３１ｂに、表記のための任意の凹溝２６が彫刻されている。凹溝２６は、この例では、断面視二等辺三角形状の溝となっている。凹溝２６は、第１導光板３１内を光が進む際に、光の直進を妨げ、光を第１導光板３１の正面３１ａ側へ反射させる。この凹溝２６は、任意の位置に任意の太さや深さで形成すればよく、凹溝２６により任意の文字、数字等の表示を行うことができる。      
【００２８】
なお、凹溝２６は、断面形状が二等辺三角形状に限らず、断面形状が半円形やその他の任意の形状であってもよい。また、第１導光板３１の背面３１ｂを、細かな凹凸をつけるような加工をしても、その細かな凹凸により第１導光板３１内を導かれる光が乱反射するので、かかる細かな凹凸を、表記内容において必要があれば設けてもよい。
図７は、第２導光板３２の他の構成例を表わす部分断面図である。第２導光板３２は、図７に示すように、表面板２１および裏面板２２間に設けられる羽根板２３０が、図４や図６で示したように、水平な桟状の板ではなく、断面形状がジグザグ、すなわち三角形が連続した鋸歯状をしていてもよい。このように、羽根板２３０は、第１導光板３１の背面３１ｂから後方へ水平に張り出した板ではなく、背面３１ｂに対して交差方向に後方へ張り出した構成であってもよい。その余の構成は、図６と同様であり、同一部分には同一番号を付して、説明は省略する。
【００２９】
図８は、この発明の他の実施形態に係る機種名表示器２０の正面図であり、図９は図８のＣ−Ｃに沿う断面図である。
図８および図９に示す機種名表示器２０の特徴は、正面視が縦長矩形をしており、上下方向に長手の左枠１３および右枠１４内に、その長さ方向に沿ってＬＥＤ基板３７が収容されていることである。また、この実施形態では、ＬＥＤ基板３７には、チップ状ＬＥＤ４２が設けられている。チップ状ＬＥＤ４２は、複数の発光色を照射できるので、表示において、色を変化させることが可能である。
【００３０】
図８および図９に示す機種名表示器２０では、上枠１１に挿入用スリット１８が形成されており、第１導光板３１および第２導光板３２の積層体は、上枠１１に形成された挿入用スリット１８から、上下方向に抜き差しされる。また、第１導光板３１および第２導光板３２の積層体を挿入する際に、積層体を案内するためのガイド部は、左枠１３および右枠１４に形成されている。
【００３１】
その余の構成は、先に説明した第１の実施形態に係る機種名表示器１０と同等である。  図１０に、第２の実施形態に係る機種名表示器２０で表示した表示例の写真を示す。機種名表示器２０では、左枠１３および右枠１４に多数のＬＥＤが内蔵されているので、第２導光板３２により表わされる奥行感のある光のグラデーションは、左右方向に現れる。機種名表示器２０においても、上方の台番号表示窓１６には遊技島を構成する遊技台の番号が表示され、下方の機種名表示窓１７には、機種名が表示される。
【００３２】
この発明は、以上説明した実施形態に限定されるものではなく、請求項記載の範囲内において種々の変更が可能である。
【図面の簡単な説明】
【００３３】
【図１】遊技島の一端部の斜視図である。
【図２】遊技島の他端部の斜視図である。
【図３】この発明の一実施形態に係る機種名表示器１０の正面図である。
【図４】図３のＡ−Ａに沿う縦断面図である。
【図５】この発明の一実施形態により表示された表示内容の写真である。
【図６】表記手段の他の例を示す部分拡大断面図である。
【図７】第２導光板の他の構成例を表わす部分断面図である。
【図８】この発明の他の実施形態に係る機種名表示器２０の正面図である。
【図９】図８のＣ−Ｃに沿う断面図である。
【図１０】この発明の第２の実施形態に係る機種名表示器２０で表示した表示例の写真である。
【符号の説明】
【００３４】
１    遊技機
２    遊技島
３    島飾り
８    妻板
１０，２０    機種名表示器
１６    台番号表示窓（台番号表示エリア）
１７    機種名表示窓（機種名表示エリア）
２３    羽根板
２６    凹溝
３１    第１導光板
３２    第２導光板
３３    カッティングシール
３９，４２    ＬＥＤ
【図１】
2008279005.tif 000003
【図２】
2008279005.tif 000004
【図３】
2008279005.tif 000005
【図４】
2008279005.tif 000006
【図６】
2008279005.tif 000007
【図７】
2008279005.tif 000008
【図８】
2008279005.tif 000009
【図９】
2008279005.tif 000010
【図５】
2008279005.tif 000011
【図１０】
2008279005.tif 000012